(57)【特許請求の範囲】
【請求項１】
注文者からの注文に応じて撮影画像の写真プリントを行うプリント手段を備えた写真プリント生産システムにおいて、
撮影画像を記憶するサーバーと、
前記記憶された撮影画像のプリント注文を行う注文者及び注文者がプリントを注文した店舗に関する注文者情報及び店舗情報とその注文内容に関する注文情報を入力する入力端末と、
前記入力された注文者情報及び店舗情報及び注文情報に基づいて店舗情報および注文者情報毎にプリント注文された撮影画像を前記サーバーから読み出し、当該読み出された撮影画像に基づいて写真プリントの先頭にヘッダープリントを配するようにプリント出力すべく前記プリント手段を制御する制御部と、
前記ヘッダープリントには、各注文者の写真プリントを区別するためのアドレス情報と、金融機関支払とクレジットカード支払の支払手段を識別する色の異なるカラーバーからなる目視可能な第１の識別部と、配送手段を識別する前記目視可能な第１の識別部とは異なる第２の識別部が印刷されていることを特徴とする写真プリント生産システム。
【請求項２】
前記ヘッダープリントにおいて前記目視可能な第１の識別部を検知する手段を備え、前記検知した結果、前記金融機関支払であることを検知したときは前記写真プリントを納品する納品ケースに請求書を挿入し、前記識別部により前記クレジット支払であることを検知したときは前記納品ケースに前記請求書の挿入を禁止するよう制御する手段を備えた請求項１に記載の写真プリント生産システム。
【発明の詳細な説明】
【技術分野】
【０００１】
本発明は、インターネットを介して写真プリントの注文を受ける写真プリント生産シス
テムに関し、特に複数の店舗から写真プリントの注文を受けて写真プリントを生産し、生産された写真プリントを配送する写真プリント生産システムに関する。
【背景技術】
【０００２】
特許文献１に記載された図である図１５に示すように、写真プリント生産システム２００では、オーダエントリＳＴ５０において注文票に基づき注文者情報及び注文情報が入力されると、ラボサーバ６０ではこの注文票に記載された注文者情報及び注文情報に従って、各注文者のプリント写真区別可能な区別シートのデータが作成され、画像編集ＳＴ８０で画像の色補正、トリミング等の画像編集などがなされ、プリントＳＴ１００では、各注文者のプリント写真とその間に区別シートが配置されるように、注文者毎に注文された撮影画像及びその注文の区別シートがプリント出力される。制御部９０が画像のプリントを制御する。プリント出力されたプリント写真群は区別シートにより注文者毎に仕分けされて透明材料から形成される納品袋に収容され、注文者に配布される。
【先行技術文献】
【特許文献】
【０００３】
特許文献１  特開２００５−２２１８０９号公報
【発明の概要】
【発明が解決しようとする課題】
【０００４】
以上に述べた写真プリント生産システムでは、一のプリント注文者と他のプリント注文者との間に両者を識別する区別シートが配されて仕分されている。しかし、写真プリント生産システムが大規模化されたときに複数の店舗からプリントの注文を受け付けて店舗毎に写真プリントを管理する場合があり、店舗毎に写真を配送するケースを変えるようなことは、特許文献１ではその点について何も示唆がない。
【０００５】
また、例えば誕生日、結婚記念日、卒業式の日のような顧客にとって記念日、または正月、勤労感謝の日等の国民的な記念日にお祝いをするために注文された写真のケースにその旨を表現することも特許文献１には示唆がない。
【０００６】
また写真プリントはインターネットで依頼しているため、どのようにして代金を支払うかの何も示されていない。
【０００７】
本発明は、このような従来の構成が有していた問題を解決しようとするものであり、写真プリント生産システムが大規模化して注文を受け付ける店舗毎に写真プリントを仕分できるようにすることを目的とするものである。
【課題を解決するための手段】
【０００８】
本発明の請求項１は、注文者からの注文に応じて撮影画像の写真プリントを行うプリント手段を備えた写真プリント生産システムにおいて、
撮影画像を記憶するサーバーと、
前記記憶された撮影画像のプリント注文を行う注文者及び注文者がプリントを注文した店舗に関する注文者情報及び店舗情報とその注文内容に関する注文情報を入力する入力端末と、
前記入力された注文者情報及び店舗情報及び注文情報に基づいて店舗情報および注文者情報毎にプリント注文された撮影画像を前記サーバーから読み出し、当該読み出された撮影画像に基づいて写真プリントの先頭にヘッダープリントを配するようにプリント出力すべく前記プリント手段を制御する制御部と、
前記ヘッダープリントには、各注文者の写真プリントを区別するためのアドレス情報と、金融機関支払とクレジットカード支払の支払手段を識別する色の異なるカラーバーからなる目視可能な第１の識別部と、配送手段を識別する前記目視可能な第１の識別部とは異なる第２の識別部が印刷されていることを特徴とする写真プリント生産システムを提供することにある。
【０００９】
請求項２は、前記ヘッダープリントにおいて前記目視可能な第１の識別部を検知する手段を備え、前記検知した結果、前記金融機関支払であることを検知したときは前記写真プリントを納品する納品ケースに請求書を挿入し、前記識別部により前記クレジット支払であることを検知したときは前記納品ケースに前記請求書の挿入を禁止するよう制御する手段を備えた請求項１に記載の写真プリント生産システムを提供することにある。
【発明の効果】
【００２０】
上述したように、本発明の写真プリント生産システムはプリントの注文を扱う店舗別にプリントを納品する納品ケースを識別できるようにしているので管理上で好都合である。
【００２１】
また時には納品ケースに顧客、国民的な祝祭日等の記念日の祝いを表現することができる。
【００２２】
さらに、写真の先頭にあるヘッダープリントには金融機関支払かクレジットカード支払を識別するカラーバー等の第１の識別部が印刷されており、金融機関支払の場合には請求書が挿入されており、クレジットカード支払の場合はプレゼント用の可能性もある、さらに何れはクレジットカード会社から支払通知が入っているので請求書が挿入されていない。従って注文者に対応した配送の仕方をしているので注文者に対して迷惑をかけないようになっている。さらにクレジットカード支払に対して現金払いの金融機関支払はプリント業者も現金がすぐに入手できるのでそのために顧客にプレゼントして喜んでもらえる。
【００２３】
さらに、写真の先頭にあるヘッダープリントには宅配便で送るのか、メール便で送るのか、速達メール便で送るのかを識別するカラー枠で示す第２の識別部が印刷されており、配送の仕方をしているので注文者に対して迷惑をかけないようになっている。
【図面の簡単な説明】
【００２４】
【図１】本発明の写真プリント生産システムの各要素の関係を示す概念図
【図２】本発明の写真プリント生産システムに用いる納品ケースと写真の関係を示す分解図
【図３】本発明の写真プリント生産システムに用いるヘッダープリントを示す図
【図４】本発明の写真プリント生産システムを構成する各要素の制御部に対する関係を示すブロック図
【図５】注文画面の一つで個人情報記録画面
【図６】注文画面の一つで全画像共通の入力事項
【図７】注文画面の一つで一画面の入力事項
【図８】本発明の写真プリント生産システムの個人情報入力から画像を含めてサーバーに記憶するフローチャート
【図９】本発明の写真プリント生産システムで、ストレージ２Ａに画像信号を記憶した状態から画像をプリントして配送するまでのフローチャート
【図１０】本発明の写真プリント生産システムに用いるプリントの例
【図１１】本発明の写真プリント生産システムの別の実施例を示すフローチャート
【図１２】本発明の写真プリント生産システムに用いる上蓋の一例を示す図
【図１３】本発明の写真プリント生産システムのさらに別の実施例を示すフローチャート
【図１４】本発明の写真プリント生産システムのさらに、さらなる別の実施例を示すフローチャート
【図１５】従来例
【発明を実施するための形態】
【００２５】
図１は、本発明の写真プリント生産システムを構成する各要素の関係を示す概念図である。
【００２６】
１は、入力端末群を示し、１Ａ〜１Ｃは、顧客が注文者としての注文者情報と、プリント注文する画像を入力する入力端末で、１Ａが本店または親となる親端末を示し、１Ｂ、１Ｃは支店または子供となる子端末を示し、後述のサーバー、制御部、ミニラボ、納品ケース収容手段、配送手段は親端末１Ａの所属する企業等が管理するものとし、子端末１Ｂ、１Ｃの所属する企業等がそれぞれの注文者のプリント代を入金した後に、親端末の所属する企業等にプリント生産費用と親端末所属企業の利益を含めて支払うものとする。
【００２７】
２はサーバーを示し、サーバー２は複数のストレージに分割されていてここでは親端末１Ａが注文者情報、画像情報を入力して記憶するストレージ２Ａ、子端末１Ｂ、１Ｃが注文者情報、画像情報等を入力して記憶して、ストレージ２Ｂ、２Ｃからなっている。
【００２８】
３は制御部を示し、ストレージ２Ａに記憶された注文者情報及び画像情報を、４で示すミニラボ群から選択された４Ａ〜４Ｃで示すミニラボのいずれかに導くかの役目を担う。ミニラボ４Ａ〜４Ｃはここでは親端末１Ａにより入力された画像情報等はミニラボ４Ａで、子端末２Ｂにより入力された画像情報等はミニラボ４Ｂで、子端末２Ｃにより入力された画像情報等はミニラボ４Ｃでプリントされるように構成されている。ただし、例えば親端末１Ａで入力された画像情報等が多くて短時間では処理できないとき、ミニラボ４Ｂが仕事が空いているときに、親端末１Ａで入力された画像がプリントされるようにミニラボの役目が変わってくることもある。
【００２９】
５で示す納品ケース収容手段によりミニラボ４Ａ〜４Ｃでプリントされた写真プリントを所定の納品ケースに収容する。
【００３０】
６で示す配送手段群から選択された６Ａ〜６Ｃは納品ケース収容手段５で写真プリントを装填した納品ケースをそれぞれの注文者Ａ〜Ｃに配送する配送手段を示す。
【００３１】
図１では、各入力端末１Ａ〜１Ｃが一つのサーバー２に画像信号等を入力されるようにしたが、各入力端末に対してそれぞれ別のサーバーに入力してもよい。
【００３２】
図２は、本発明の写真プリント生産システムに用いる納品ケースに写真とヘッダープリントを収納するよう制御する図を示している。但し、制御機構は不図示である。
【００３３】
１１は、納品ケースの底ケースで、１１Ａ、１１Ｂで示すプリント収納部に１２Ａ、１２Ｂで示す写真プリントの束を収納部１２Ａ、１２Ｂに落下させるようにして収納するように制御する。
【００３４】
１３は、宛名、この写真を収納した納品ケースを注文者のもとへ配送する配送会社等を記入し、写真の上にヘッダープリントを載置するように制御する。従来例では区別シートと表現されていた。１３Ａには配送会社名が、１３Ｂには注文者の宛名を、１３Ｃにはこの納品ケースを取扱う店舗名の名称が記録されている。１３Ｂの下には１３Ｄで示す支払手段を識別する視認可能なカラーバーが記録されており、１３Ｅにはプリント枚数等が示されている。
【００３５】
１４は、底ケース１１に写真１２Ａ、１２Ｂを収納し、さらに宛名、配送会社等が記録されたヘッダープリントを収納して閉鎖する上蓋を示し、上蓋１４を底ケース１１の端部に接着するよう制御する。１４Ａはヘッダープリントの文字が視認可能なように透明部をもって印刷されている。
【００３６】
上蓋１４はヘッダープリント１３に印刷された店舗名によってカラー印刷を変更すれば、店舗名の名称を見なくても店舗名を識別可能である。また上蓋は後述するように注文者の誕生日等の記念日に配送日が当たる場合にお祝い用に飾った印刷を施した上蓋とするなどバリエーションを持たせることが可能である。従って上蓋１４は店舗毎や贈り物用パッケージ（誕生日・結婚式・イベント）によって変えることが出来る。
【００３７】
図３は、ヘッダープリントの一例を示す。
【００３８】
ヘッダープリント１３には、前述したようにこの写真を収納した納品ケースを注文者のもとへ、配送する配送会社名１３Ａ、注文者の宛名１３Ｂ、この納品ケースを取扱う店舗名が１３Ｃに記録されている。また、１３Ｄには注文者の支払方法を識別するカラーバーが記録されてあり、例えばクレジットカード支払の場合は「青色」で、金融機関かコンビニエーションストア等の店舗支払の場合は「赤色」のカラーバーが印刷されており目で見ても識別可能である。クレジットカードで支払うときは、いずれはクレジット会社からの請求書もあり、他人へのプレゼントもあることを考慮して「請求書」を同封しないとか、金融機関かコンビニエーションストア等の店舗で支払う場合は金額を明示した「請求書」を同封するように制御する。
【００３９】
また、宛名１３Ｂを囲み、配送手段を識別する１３Ｆで示す色枠が設けられており、色枠の色がピンク色ならば宅配便として送付されるように、緑色ならばメール速達便として送付されるように、無色ならばメール便として送付されるように指示される。
【００４０】
ここではクレジット支払と金融機関等で支払う第１の識別部を色で分けたが必ずしも色でなくて目視可能な第１の識別部が表示されればよい。また配送手段を識別する第２の識別部を色で分けたが必ずしも色でなくて目視可能な第２の識別部が表示されればよい。
【００４１】
図４は、本発明の写真プリント生産システムを構成する各要素の制御部３に対する関係を示すブロック図である。
【００４２】
制御部３の入力側には、２１で示す店舗情報入力部、２２で示す画像情報入力部、２３で示す注文者の個人情報入力部、２４で示す枚数情報入力部、２５で示すプリントサイズ情報入力部、２６で示すプリント紙情報入力部、２７で示す普通便か速達便のような速い便かの配送手段検出部、２８で示す誕生日、記念日のような指定日情報入力部、２９で示す支払手段検出部が接続されている。
【００４３】
支払手段検出部２９は識別部がカラーで表示されている場合でも白黒のエリアで表示されている場合でもカラーセンサー等の撮像素子が適している。
【００４４】
また、制御部３の出力側には、４Ａ〜４Ｃで示すミニラボを選択する４Ｘで表すミニラボ選択部、納品ケースに写真を収容する納品ケース収容手段５、６Ａ〜６Ｃで示す宅配便、メール便、メール速達便を選択する６Ｘで示す配送手段選択部、３０Ａ〜３０Ｃで示す用紙サイズを選択する、３０Ｘで示す用紙サイズ選択部、３１Ａ〜３１Ｃで示す用紙品質を選択する３１Ｘで示す用紙品質選択部が接続される。店舗情報入力部２１から支払手段検出部２９からの入力信号によって出力側に接続されたミニラボ選択部４Ｘによりミニラボ４Ａ〜４Ｃ、納品ケース選択部５Ｘにより納品ケース５Ａ〜５Ｃ、配送手段選択部６Ｘにより配送手段である宅配便６Ａ、メール便６Ｂ、メール速達便６Ｃ、用紙サイズ選択部３０Ｘにより用紙サイズ３０Ａ〜３０Ｃ、用紙品質選択部３１Ｘにより「普通」か「高品質」紙かを示す用紙品質３１Ａ〜３１Ｃのそれぞれいずれか一つが選択される。
【００４５】
図５は、不図示であるコンピュータの注文画面の個人情報記録画面を示す図を示し、ここでは、図１に示す入力端末１Ａから情報をストレージ２Ａに入力する場合を説明する。
【００４６】
３２は不図示のコンピュータの画面を示し、ここでは注文者の氏名、住所、生年月日、電話番号、Eメールアドレスを前記コンピュータのキーボードで入力し、３２Ａで示す「次へ」のキーを押す。ここで店舗情報は既にコンピュータ上で入力されている。
【００４７】
図６は、注文画面の一つの入力事項を示す図を示す。
【００４８】
注文情報1として、「プリント用紙」の質を「高品質」か「普通」か、「仕上がり希望」を「急ぐ」のか、「普通」でよいのかをチェックマークを入れて３２Ｂで示す「次へ」を押す。
【００４９】
図７は、注文画面の一つで一画面の入力事項を示す事項である。
【００５０】
画像に対してプリントを希望するときには、プリントサイズはあらかじめ決めた「Ｌ」サイズ、「２Ｌ」サイズ等の文字をプルダウン方式に選択されて入力され、プリント枚数は数値で入力される。画面３２の３２Ｃで示す「送信」のキーを押すと画像と個人情報及び注文情報がサーバー２のストレージ２Ａに入力される。
【００５１】
図８は、本発明の写真プリント生産システムで各入力端末から個人情報入力から画像信号を含めて入力し、サーバー２の各ストレージ２Ａに記憶するフローチャートを示す。
【００５２】
Ｓ１で個人情報を入力し、Ｓ２でプリント用紙が「高品質」か「普通」かを指定し、Ｓ３で画像を指定し、プリントサイズ、プリント枚数を指定して、Ｓ４で送信し、Ｓ５でストレージ２Ａに記憶し、ストレージ２Ａに記憶したこれらの情報が制御部３に入力される。
【００５３】
図９は、サーバー２のストレージ２Ａに画像信号を記憶し、記憶した画像をプリントして配送するまでのフローチャートを示し、ストレージ２Ｂ、２Ｃに記憶した情報も図示していないが同じようなフローチャートで示すことができる。
【００５４】
Ｓ１１で、サーバー２のストレージ２Ａで画像を記憶し、Ｓ１２に進んで制御部３で、ストレージ２Ａで記憶した画像をミニラボ４Ａに送信する。
【００５５】
Ｓ１３に進み、ヘッダープリントをプリントするためのヘッダープリントデータを作成し、Ｓ１４に進み、注文された画像データから画像プリントデータを作成し、Ｓ１５に進んで図１０で示すように、ミニラボにより写真プリントを作成し、Ｓ１７に進んでストレージ２Ａの画像は通常の場合は上蓋１４Ａを、祝い用の場合は１４ＡＳ、ストレージ２Ｂの画像は通常の場合は上蓋１４Ｂを、祝い用の場合は１４ＡＳを、子サーバー２Ｃの画像は通常の場合は上蓋１４Ｃを、祝い用の場合は１４ＣＳを選択して上蓋をして、配送手段６Ａ〜６Ｃを用いて配送を行なうよう制御する。
【００５６】
図１０は、本発明の写真プリント生産システムに用いるプリントの例を示す。
【００５７】
図９のフローチャートで示すようにヘッダープリントデータと画像データを作成した後、プリントデータを図１０のようにヘッダープリントの後に画像データが続くようにプリントするように作成する。
【００５８】
図１１は、本発明の写真プリント生産システムの別の実施例を示すフローチャートを示す。
【００５９】
まず、Ｓ２１で写真プリントが配送される日が注文者の誕生日でるかどうかを判定し、Ｓ２２に進んで、誕生日であれば誕生祝い用上蓋を選択して誕生祝い用納品ケースに写真を入れて配送する。
【００６０】
Ｓ２３で配送日が祝祭日であるかどうかを判定し、祝祭日であればＳ２４に進んで祝祭日用の上蓋１４を選択して祝祭日用納品ケースに写真を入れて送付する。もしもそうでなければＳ２５に進んで通常の店舗のケースに写真を入れて配送する。ここで誕生日を他の記念日よりも優先するようにしている。
【００６１】
図１２は結婚祝用の上蓋１４の例を示し、結婚祝を示す絵柄が表示されている。
【００６２】
図１３は、本発明の写真プリント生産システムのさらに別の実施例を示すフローチャートを示し、支払請求方法を不図示のセンサーで読み取って判断する。
【００６３】
Ｓ２１で支払方法識別のためのカラーバー１３Ｄを支払手段検出部により読み取ってカラーバーが「青」を検知した場合は、その旨を図４におけるブロック図の支払手段検出部２９に入力し、Ｓ２２に進み、納品ケース収容手段５により請求書を写真と一緒に収容して、Ｓ２３で終了する。
【００６４】
Ｓ２１で支払方法識別カラーバー１３Ｄを読み取ってカラーバーが「赤」の場合には、その旨を図４におけるブロック図の支払手段検出部２９に入力し、Ｓ２４に進んで納品ケースに写真と一緒には請求書を収容せずにＳ２５で終了する。
【００６５】
ここではカラーバーを読取る方式について述べたが必ずしも上述の方法をとらずに不図示であるが、線と点線の組み合わせをセンサーを使って読み取っても判断してもよい。また金融機関等に支払う人には請求書を送るが、すぐに現金が入金されることはクレジットカードでの支払よりもすぐに現金が入ることで事業経営者には喜ばしいことで請求書だけでなくてスポーツ観戦チケットや芸術関係の観賞チケット等を入れてもよい。
【００６６】
図１４は、写真を同梱した納品ケースの中に最も上にあるヘッダープリント１３に記録された配送手段識別部１３Ｆを検知して配送手段を選択するフローチャートを示す。
【００６７】
まずＳ３１で配送手段識別部１３Ｆを不図示のセンサーで読取ってその色が「ピンク」であると判定すると、図４における配送手段検出部２７から制御部３にその旨の信号が入力され、Ｓ３２に進み、宅配便に対応しているか、即ち不図示である宅配便に供する宅配便用の箱に収容されるかどうかを判定し、収容されていると判定するとＳ３３に進み終了する。
【００６８】
次にＳ３１で配送手段識別部１３Ｆを不図示のセンサーで読取り、その色が「緑」であると判定すると、図４におけるＳ３４に進み、メール速達便に対応しているか、即ち不図示であるメール速達便に供するメール速達便用の箱に収容されるかどうかを判定し、収容されていると判定するとＳ３５に進み終了する。
【００６９】
次にＳ３１で配送手段識別部１３Ｆを不図示のセンサーで読取り、その色が「無色」であると判定するとＳ３６に進み、メール便に対応しているか、即ち不図示であるメール便に供するメール便用の箱に収容されるかどうかを判定し、収容されていると判定するとＳ３７に進み終了する。
【００７０】
ここでは配送手段識別部をカラー枠の色で読取る方式について述べたが必ずしも上述の方法をとらずに不図示であるが、線と点線の組み合わせをセンサーを使って読み取っても判断してもよい。
【符号の説明】
【００７１】
１                  入力端末群
１Ａ                親入力端末
１Ｂ、１Ｃ          子入力端末
２                  サーバー
２Ａ〜２Ｃ          ストレージ
３                  制御部
４                  ミニラボ群
４Ａ〜４Ｃ          ミニラボ
４Ｘ                ミニラボ選択部
５                  納品ケース収容手段
６                  配送手段群
６Ａ〜６Ｃ          配送手段
６Ｘ                配送手段選択部
１１                底ケース
１２                写真
１３                ヘッダープリント
１３Ａ              配送会社名
１３Ｂ              宛名
１３Ｃ              店舗名
１３Ｄ              支払方法識別カラーバー（第１の識別部）
１３Ｅ              プリント枚数等表示部
１３Ｆ              配送手段識別部（第２の識別部）
１４Ａ〜１４Ｃ      上蓋
１４ＡＳ〜１４ＣＳ  祝い用上蓋
２１                店舗情報入力部、
２２                画像情報入力部
２３                注文者個人情報入力部
２４                枚数情報入力部
２５                プリントサイズ情報入力部
２６                プリント紙情報入力部
２７                配送情報入力部
２７Ａ              配送手段情報入力部
２８                指定日情報入力部
２９                支払手段入力部
３０Ａ〜３０Ｃ      用紙サイズ
３０Ｘ              用紙サイズ選択部
３１Ａ〜３１Ｃ      用紙品質
３１Ｘ              用紙品質選択部
３２                入力画面
【図１】
0005704390.tif 000002
【図２】
0005704390.tif 000003
【図３】
0005704390.tif 000004
【図４】
0005704390.tif 000005
【図５】
0005704390.tif 000006
【図６】
0005704390.tif 000007
【図７】
0005704390.tif 000008
【図８】
0005704390.tif 000009
【図９】
0005704390.tif 000010
【図１０】
0005704390.tif 000011
【図１１】
0005704390.tif 000012
【図１２】
0005704390.tif 000013
【図１３】
0005704390.tif 000014
【図１４】
0005704390.tif 000015
【図１５】
0005704390.tif 000016